Podtech/llm-jp-corpus-v4-ja_patent huggingface dataset:
(57)【要約】【課題】薬草成分で食品との融合性に優れた汎用活用し配合組成に発揮し得る、液体、固体、顆粒、粉末成分等の加工方法は，高額な設備投資を押さえ、比較的簡単な装置を用い、作業技術でもって大量生産することを特徴とした。【解決手段】本発明は、上記諸課題を解決し、薬草成分の有効性は、地域の天然資源を活用することで地域事業を育成し、地域の産業開発となる。【選択図】なし【特許請求の範囲】
【請求項１】
薬草の成分抽出を液体、固体、顆粒、粉末等の加工抽出を得たことを特徴とする。
【請求項２】
薬草の成分抽出を配合組成の融合性に優れて得たことを特徴とする。
【請求項３】
請求項２に請求項１の単一、混合によって薬草成分組成を得ことを特徴とする。
【請求項４】
請求項３において同等の成果を得ることを特徴とする。
【請求項５】
前記、請求項１から４において本発明趣旨を逸脱しない範囲の変更は、本発明に含まれる。
【発明の詳細な説明】
【技術分野】
【０００１】本発明は、薬草成分抽出方法に関するものである。【０００２】薬草の組成は類似しており、機能性において類似機能が期待できる。【０００３】薬草の成分抽出を、液体、固体、顆粒、粉末成分等の利便性に関するものである。
【背景技術】
【０００４】薬草成分の抽出は、依然として各種の個別対応をし、抽出の性状対策に汎用性がないまま、対象物質の限定薬草成分の抽出が実態である。
【発明の開示】
【発明が解決しようとする課題】
【０００５】前記従来、薬草は、効果であるため簡単に入手できない不都合さを有していた。薬草の組成、機能は類似していることから、液体は、液体のまま用いられ、固体は、固体等そのまんま用いられるために、高額の容器、設備投資を要している。本発明の、薬草成分抽出方法は、液体、固体、顆粒、粉末成分等の加工抽出は、容易に確実、しかも添加、混合、攪拌が一体型でもって効果が得られる。【０００６】本発明は、このような実状に鑑みなされたものであり，薬草成分を加工技術でその提供を目的とする。
【課題を解決するための手段】
【０００７】課題を解決するため、本発明は、薬草成分の液体，固体、顆粒、粉末成分等の汎用活用を図ったことによる、好ましい選択が得られる。
【発明の効果】
【０００８】以上のように、本技術は、薬草成分を無駄なく発揮され配合組成との融合性に優れ、汎用への期待は大きい。【０００９】日配加工食品、醗酵食品、飲料品，酒類等に薬草成分組成は有効に発揮されることを特徴とする。【００１０】天然素材の薬草は、何人も簡単に安価に入手することができ、各地域の地域資源の利用となり、しかも、天然資源の活用から安定供給ができ、規模の自在設定ができることからも地域産業に貢献することを特徴とする。
【発明を実施するための最良の形態】
【００１１】本発明は、薬草成分を、液体、固体、顆粒、粉末成分等の加工を図ることの汎用性。
つまり、選択により好ましい効果が得られる。【００１２】上記技術でもって、本発明趣旨を逸脱しない範囲の変更は、本発明に含まれることを特徴とした。【００１３】本発明において、使用される薬草は茎、葉、樹皮、根等いずれも同等の効果が得られる。また，生のままでも、乾燥されたものでも同等の効果が得られることを特徴とする。【００１４】加工された上記を飲料に供する場合は、液体はそのまま、又は水や他の飲料水を希釈しても良い。
【産業上の利用可能性】
【００１５】本発明の、薬草成分の抽出方法は、天然素材の加工技術によることを特徴としている。【００１６】上記、地域の天然資源を活用することで産業上の利用可能性を有する。
(57)【要約】【課題】本発明は、超臨界水を処理できる超臨界水の処理装置及び超臨界水の処理方法に関する。【解決手段】超臨界状態では、水は液体と気体の区別のつかない状態の単一相となっている。浸透が超しやしく、物質を吸収可能とする有効成分で有害な触媒化合による物理的処理をすることによって化合反応が実現でき、本超臨界水処理装置及び超臨界水の処理方法を備える。【選択図】なし【特許請求の範囲】
【請求項１】
有機性物質の超臨界流体を導入しての超臨界水を安全、安定、容易に処理できる装置と、及び処理方法を備えることを特徴とする。
【請求項２】
超臨界水に、焼成顆粒珪藻土を接触させ、上記記載を可能とすることを特徴とする。
【請求項３】
超臨界水に、産業廃棄物の焼成顆粒珪藻土粕を接触させ、請求項１記載を可能とすることを特徴とする。
【請求項４】
請求項１から請求項３記載を外部と接触しない水装置において可能とする処理において超臨界水を、水、二酸化炭素、塩酸に分解処理とした無害化処理方法を特徴とする
【請求項５】
前記廃棄物、建設工事、汚泥一般を含む一種または複種類からなる有機性物質の処理方法。
【請求項６】
請求項２に請求項３を混合してなる無害化効果の処理方法。
【請求項７】
上記においての趣旨を逸脱しない範囲の変更は、本発明に含まれる。
【発明の詳細な説明】
【技術分野】
【０００１】本発明は、超臨界水を処理できる超臨界水の処理装置及び超臨界水を安全、安心、安価、効果、効率的に除去し、無害化する浄化処理方法に関する。【０００２】しかも、高額な設備費用を要しないことを特徴とする。
【背景技術】
【０００３】現在、化学工場跡地から、高濃度の有害物質が土壌内に大量に残留存在している。
有害廃棄物質処理、産業汚水、家庭からの排水汚水、生活汚水、農業汚水、産業汚水、下水汚水等の濃度範囲汚染が環境基準値０，０５ｍｇ／Ｌから１０倍±１の汚染により人体、環境に悪化が進み、有害物問題が起きている。【０００４】
【特許文献】特願２０００−３６０３９５
【非特許文献】朝日新聞２００６年１１月２９日「新科論」
【０００５】かかる、人体の体内脂肪に蓄積され大きな問題になっている。各種技術開発がなされてきた。しかし、対策として多額の設備、機材が投入されているものの、十分な処理対策に至っていない。
【発明の開示】
【発明が解決しようとする課題】
【０００６】現実的な、実用的な処理方法、装置において、超臨界水反応による、ダイオキシン、ＰＣＢ等の化学物質の除去が重要課題とし、自然環境保護の試みがなされる。
発明は、珪藻土焼成顆粒の均一珪藻土を特定化学物質に接触させてなる処理をすることによって無害化、浄化効果が得られる。その浄化処理基材とその製造方法の発明。
浄化することで自然環境の保護を試み為される。【０００７】珪藻土焼成顆粒に有機性固形物を混合してなる接触は、容易に超臨界水処理な化学物質の混合してなる接触は、有効活用が図られ、この新技術は、環境ホルモンを含む処理用途に拡大できる。【０００８】本発明は、珪藻土焼成顆粒の有用性を請求項１から３の工程を備えることの提供を目的とする。【０００９】有害物質を外気に接触する事のない方法、装置に珪藻土焼成顆粒を混合とした超臨界流体システムを非現実にとらわれずに、現実に達成実現効果が得られる無害化処理方法を提供する。
【課題を解決するための手段】
【００１０】上記課題を解決する無害化処理方法は、外気に接触しない遮断装置工程に構成された超臨界流体を配して成るとした。組成物の分解され難い組成の性質を有しての活用であり、超臨界流体、二酸化炭素を溶媒として、水、二酸化炭素、塩酸に分解処理してなるとしたものである。【００１１】上記において、廃棄物処理法において高温処理、溶剤洗浄は、周辺環境問題が懸念され、完全処理が困難な状態にある。【００１２】本発明の浄化処理基材は、珪藻土焼成顆粒からの生成化合され水酸化物凝集沈澱促進、さらには、上記濾過材機能の有効性は資源循環型社会の推進とする。【００１３】本発明は、産業廃棄物の活用、対応し有効活用は確立された。
【発明の効果】
【００１４】本発明は、有機性固形物に超臨界流体を導入し有機化合物を超臨界水反応により、超臨界水処理し、安定して無害化処理方法を実現する。【００１５】さらに長期間の使用に持続的効果の優れた処理効果の持続が得られることが発見された。【００１６】有用な珪藻土焼成顆粒の多孔質体に付着、浸潤されることで、有機化合物の分解処理ができた。
本発明による廃棄物質処理剤は、安全性、経済性ともに優れ、低コストでしかも実用に優れた従来にない超臨界水処理を供することができた。【００１７】有機化合物に焼成顆粒珪藻土の混合による超臨界流体反応による効果は、無害物質化され環境基準値を下回る。
【発明を実施するための最良の形態】
【００１８】本発明の処理方法は、水を３７４℃以上とした超臨界流体の超臨界水に接し液体の密度状態のエネルギー水分子と衝突することで分解反応をする。【００１９】さらに、固液分解水分反応となる。【００２０】このことは、分解生成物は二酸化炭素と水に分解され回収を要しない。【００２１】工濃度の触媒を反応させずに，超臨界状態の水で有機化合物を合成させ二酸化炭素や水に分解されることを特徴とする。【００２２】上記は、珪藻土焼成顆粒の多面性のある物質素粒子によって組成される。【００２３】本発明は、上記記載と同等の効果がある物質に産業廃棄物珪藻土粕がある。【００２４】本発明は、好ましくは秋田県北秋田市から産出される良質の多孔質珪藻土の珪藻土焼成顆粒の多孔質構造形成を特性とした使用が望ましい。【００２５】前記、有機塩素化合物を超臨界水分解の応用の実用化に向けての開発である。【００２６】好ましくは、透水性のある焼成顆粒珪藻土を、有機化合物に沈み込む状態を良しとするが、もしくは、空気に接触しない効果は期待できる。つまり、超臨界の液体と気体の性質構造なる方法、装置を取り入れた処理方法。
【産業上の利用可能性】
【００２７】環境汚染は、環境基準の濃度範囲の汚染が多い。廃水の還元処理、産業廃棄物の、無害化処理、化学工場跡地の、高濃度有害物が土壌内に大量に残留している場所が多数存在している。建設工事、汚泥一般を含む一種類または複種類からなる有害物質、有害廃棄物、生活汚泥、農業汚泥、産業汚泥、家畜汚泥、下水汚泥等の処理に超臨界水の反応をもって二酸化炭素、水、無機質等の無害な生成物に転化する。
廃棄物を廃棄物でもって無害化とする。
［書類名］
図書
2011072977.tif 000002
(57)【要約】【課題】本発明は、有害化学物質処理の効果、効率、安価な有害化学物の処理を図る。植物破砕の素粒子による廃棄物処理剤の基材開発、多孔質効果が得られる珪藻土素粒子、ゼオライト素粒子の有用活用である。【解決手段】植物破砕素粒子の製法加工、珪藻土素粒子、ゼオライト素粒子を物理的処理をすることによって実現ができた。よって、含有する有害化学物質の分解消滅処理材は、それの素粒子、土素粒子に有害物を付着させての封じ込め技術の開発である。しかも、高度な設備費用を必要としない製造工程を特徴とする。【選択図】なし【特許請求の範囲】
【請求項１】
植物破砕の素粒子を多孔質構造を、加熱、乾燥製法、加工したこと特徴とする。
【請求項２】
有害物質は粒子、土粒子に付着する性質をとらえ、有害物質を袋体またはストックヤード、ピット装置内の粒子に残留，担持、保有をさせ、脱水作用で水分を透過させ、付着物の有害物質の封じ込め処理方法。
【請求項３】
珪藻土焼成顆粒に珪藻土焼成粉末を団子状にならない混合割合の調整量をもって廃棄物、建設工事、汚泥一般を含む一種または複種類からなる有害物質の封じ込め、請求項２の処理方法。
【請求項４】
前記処理材はピット設備や袋体処理とし、好ましくはポリエステル、ポリプロレン等化学繊維で成形された透水性袋体の使用が望ましい。
【請求項５】
前記透水性袋体は、好ましくは数枚重ね入れた多重袋体の効果は発揮される。
【請求項６】
前記透水性のある組成物質に透水してなる処理方法を取り入れた有害物質の封じ込め処理方法。
【請求項７】
上記有害物を封じ込めた処理物質体は、所定の基準を満たした指定された場所内に封じ込めた請求項１から請求項６の複数項記載の有害物処理方法。
【請求項８】
上記においての趣旨を逸脱しない範囲の変更は、本発明に含まれる。
【発明の詳細な説明】
【技術分野】
【０００１】本発明は、有害化学物質による健康障害の防止対策に関する。
【背景技術】
【０００２】有害化学物質処理により健康障害や環境悪化が進んでいることから、工学的対策と医学的対策が欠かせない。【０００３】かかる問題処理として各種技術開発がなされてきた。しかし、対策として設備、機材が投入されているものの、十分な処理対策に至っていない。
【発明の開示】
【発明が解決しようとする課題】
【０００４】有害化学物質に対する生理学的感受性は個人差があり、工学的対策のみでは安全、安心とはいえなく、有害化学物質に対し過敏な反応を示す体質者は、有害化学物質環境個所を避けるためにもスクリーニングの医学的な対策を欠かすことはできない。【０００５】有害化学物質等の障害は、皮膚、粘膜の接触部位に直接障害をおこす場合と皮膚、呼吸器，消化器から体内に吸収されて一定量の蓄積によって吸収部位以外に障害をおこす。【０００６】有害化学物質の大部分は、アルキル水銀化合物、マンガン、中でもシアン化合物は、症状が現れるが、体内に徐々に蓄積され、長時日にわたってじわじわと障害をおこして来るものは、その原因をつきとめがたく対策が遅れている。【０００７】請求項４から請求項５の有害化学物質は、素粒子、土素粒子に付着する性質をとらえ、有害物質を袋体またはストックヤード、ピット装置内の素粒子、土素粒子に残留，担持、保有をさせ、脱水作用で水分を透過させ、付着物の有害物質の封じ込め、ならびに排水基準値を下回る処理方法。
【課題を解決するための手段】
【０００８】上記課題を解決するに数多くの提案がなされ実用化されているものの、設備投資額と多大なる費用と人力を必要としたが、人体、生態系に汚染を引き起こしていた。
また、水質汚水が河川に放出され自然汚染や二次製品による環境破壊、水質汚染、悪臭に問題があった。【０００９】植物破砕の素粒子を多孔質にすることの効果は、表面積、空隙率の多孔質構造機能の活用にて発揮されたことを特徴とする。公知の珪藻土素粒子、ゼオライト素粒子の単一使用において、混合使用において効果が発揮された。【００１０】良質の多孔質の機能、性能を有している珪藻土、ゼオライト、植物破砕の素粒子は公知の有用性を、加工向上によって、さらに、浄化処理基材の有効性を、資源循環型社会の推進と成り得る。【００１１】本発明によって上記の有効活用は確立された。
【発明の効果】
【００１２】天然素材の植物破砕の素粒子は有用な特徴と細孔部に吸着保持された微生物の相乗効果による環境改善剤を得ることができた。天然資源が有する特性から、独自効果の大きい作用が発見された。【００１３】さらに、珪藻土、ゼオライト、植物破砕の有用性を環境改良材として、持続的効果の得られることが発見された。【００１４】上記有用な微生物が多孔質体に付着、浸潤され有害かがくの分解処理ができた。
本発明による有害化学物質処理材は、安全性、経済性ともに優れ、低コストでしかも実用に優れた従来にない環境用剤を供することができた。【００１５】上記の素粒子効果は、有害物質を含む土化した物質を封じ込め、減溶化できる。また脱水に伴っての排出水は、環境基準値を下回る。
【発明を実施するための最良の形態】
【００１６】上記の素粒子が有害化学物質に接触することで有害物質が吸着、付着され封じ込められる。固液分解によるＢＯＤ減少反応がおきる汚水および有害化学物質が分解された。【００１７】さらに、固液分解のＳＳ，ＢＯＤは水分反応となった。【００１８】このことは、醗酵分解消化の条件から無数の菌、微生物菌が発生した。【００１９】発生した菌、微生物菌は、ＳＳ，ＢＯＤ源を分解消化によって二酸化炭素や水に分解される。【００２０】このような多面性のある物質素粒子によって浄化された水となる。【００２１】本発明の有害化学物質処理材は、天然多孔質物質をベースとし、好ましくは秋田県北秋田市から産出される植物破砕、珪藻土、ゼオライトは秋田県能代市から産出される良質の多孔質素粒子構造での処理が望ましい。【００２２】有害化学物質の封じ込めの袋体は、好ましくはポリエステル、ポリプロレン等の化学繊維で成形された透水性袋体の使用が望ましい。【００２３】前記透水性のある袋体を好ましくは数枚重ね入れた多重袋体にする効果は、重ねると透過孔が小さくなり濾過効果と水と移動する際有害物質が素粒子、土素粒子等に封じ込まれる。【００２４】上記に透水性のある素粒子に透水してなる水質浄化方法を取り入れた有害物質処理方法。
【産業上の利用可能性】
【００２５】本発明に係る有害物質の封じ込め処理技術は、建設工事、汚泥一般を含む一種類または複種類からなる有害化学物質を封じ込める。有害廃棄物、生活汚泥、農業汚泥、産業汚泥、家畜汚泥、下水汚泥等を低減分解、封じ込みをする。起因する排出水の環境汚染を低減分解する。
(57)【要約】【課題】居室内でエアコンを使用し衣類を乾燥するにあたり、居室内の快適性をそこなわず、運転効率の良い乾燥室を構成させる。【解決手段】居室内のエアコンでの部屋干しを最良に行うため、開閉式とした専用の乾燥室を排気口下部に配置し、その乾燥室に上部室内機の送風を行うため開閉式カバーで覆い内部循環させる。    【選択図】図１
2011072742.tif 000002
【特許請求の範囲】
【請求項１】
居室に設置されているエアコンの室内機に取り付け衣服の部屋干をする乾燥室であり、開閉式整流ケースがエアコン室内機を覆う上部と乾燥室を覆う下部で構成され、前記エアコン室内機を覆う上部整流ケースでは天井付近の吸気を閉ざし同時に排出口の空気が直接上部吸気口への流入を防止し、両側の戻り循環口より吸気口へ内部循環する、前記乾燥室を覆う下部ケースの閉室により干された衣類等にエアコンの送風を当て乾燥させ、送風された空気は両側の戻り通路より前記室内機を覆う上部整流ケース内、循環口へ送り室内機と乾燥室内の循環を構成させる簡易乾燥室。
【発明の詳細な説明】
【技術分野】
【０００１】
本発明は、エアコンで行っている衣類の部屋干しを、効率良く行うため、室内機に吸気・送風が内部循環できる乾燥ケースを取り付け、そのケース内で衣類等の乾燥をする乾燥室である。
【背景技術】
【０００２】
衣類等の部屋干しは、気温が低い・湿度か高いなどの気象条件により左右されるため条件により、居室で暖房機・空調機・除湿機等で行うほか浴室・洗面所などで衣類を乾燥させるためには専用の換気空調装置等で行ってきた。近年この種の空調機器はヒートポンプを利用し効率の良い空気調整を行っているため、冷房時・暖房時問わず効率良く行うことが出来た。      
【０００３】
しかし、浴室や洗面所に専用の換気空調装置等を取り付け行う場合、通常の換気扇に比べ高価であり、吊るすスペースの確保や浴室では使用時間の問題がある。またいずれも部屋の戸を閉め室内全体の空調を行うので、部屋の除湿が必要な場合を除いては容積効率が悪くなってしまう。
【０００４】
居室においては、戸を開け外気が心地良いにも関わらず、エアコンでの衣類乾燥を使用する場合、戸を閉めた状態で行わなくてはいけないという欠点があった。  
【０００５】
この改善策として、エアコン室内機の空調が居室内全体に送風循環しているものから、開閉式ケース内の乾燥室と、開閉式ケース内のエアコン室内機の間で空調を循環し送風口より乾燥室内へ送り衣類を乾燥し、後に両側の循環通路で上部室内機へ循環させる。    
【発明の開示】
【発明が解決しようとする課題】
【０００６】
解決しようとする問題点は、居室内のエアコンを使用し衣類等の乾燥を効率良く又室内の快適性を損なわない様にするため、
送風循環状態を居室内循環型・居室及び乾燥室循環型・乾燥室循環型のそれぞれを条件により使い分けるために開閉式のケースを用い構成させる。
【課題を解決するための手段】
【０００７】
本発明は、居室内のエアコンに開閉式の乾燥室と開閉式の循環カバーを室内機に覆い乾燥室へ送風循環させることで、
居室と別の部屋を構成することができ、容積効率や室内環境の良い乾燥室を得る事ができる。
【発明の効果】
【０００８】
本発明の乾燥室はエアコンの送風を直接当てる事ができ、居室内より区切られた専用の乾燥室と室内機の送風循環で、容積効率が良く、居室内の温度や湿度に影響を与えず、乾燥を行うことができる。
【発明を実施するための最良の形態】
【０００９】
衣類等の乾燥は、専用の洗濯乾燥機など使用し快適に行うことができるが、購入費や電力料の節約などで自然乾燥を行う場合も多い、住宅事情や冬場・梅雨時など部屋干しする場合、衣類がハンガーで干され時間がたっても乾かない厚物のみをこの乾燥機に入れ、仕上げ乾燥させることで、電力の節約や普及率の高いエアコンを用いることで経済的を実現できた。
【実施例】
【００１０】
図１は、本発明装置の施例の側面断面図であって、室内機と整流ケースの位置関係や開閉の様子を表している。図２は上部整流ケースと下部の乾燥ケースの構造と循環を表す図である。
【００１１】
図１に示すように、エアコン室内機１１に全体を覆うように整流ケースで被い、開閉カバーヒンジ２で固定された、整流室開閉カバー１を開閉カバー受け具３で、調整する。
【００１２】
整流室開閉カバー１を閉じることで、前面の内部が仕切り板４と接し居室内の空気の流入が止まる、吸気は仕切り板４に空けられた循環口５により下部乾燥室を循環してくる。
【００１３】
上記下部乾燥室７は、ジャバラ式のシート製で伸縮性があり、図２循環通路９の内部通路を構成し、使用時上下カバージョイント６に取り付け乾燥室を空気が内部循環する。    
【００１４】
また整流室開閉カバー１を少し開放し乾燥室カバー７の乾燥室ファスナー８を開け居室へ循環させる併用として使う事も出来る。
【００１５】
そのほかエアコンで通常の室内冷房を行う時には、整流室開閉カバー１を開き、下部の乾燥室７を取り外す事で、上部ではカバー開口部より天井付近の空気を取り入れ、通風口より居室内へ送風される。
【００１６】
これら整流室開閉カバー１、乾燥室カバー７、の開閉や取り外しによって、流入方向や循環経路をかえ衣類乾燥や居室空調
に適した使用をすることで、普及率の高いエアコンで衣類乾燥も行うことができる。
【産業上の利用可能性】
【００１７】
エアコンの室内機と組み合わせることで、衣類乾燥機付エアコンとして利用できる。
【図面の簡単な説明】
【００１８】
【図１】乾燥室の実施方法を示した説明図である。（側面断面図）
【図２】乾燥室の実施方法を示した説明図である。（正面断面図）
【符号の説明】
【００１９】
１    整流室開閉カバー
２    開閉カバーヒンジ
３    開閉カバー受け具
４    吸気・排気仕切り板
５    循環口
６    上下カバージョイント
７    乾燥室カバー
８    乾燥室ファスナー
９    循環通路
１０    ハンガー用パイプ
１１    エアコン室内機
【図１】
2011072742.tif 000003
【図２】
2011072742.tif 000004
(57)【要約】【課題】  枕に異なる多層の芯材を備えることで、快適な正しい睡眠を得ることができる枕を提供する。【解決手段】  枕の外袋内に仕切りを作り、上下に２個以上のポケットを設ける。ポケットの数に合わせた中袋に異なる芯材を詰め、それぞれのポケットに入れて、多層構造の枕とする。中袋は、ファスナーで芯材を出し入れ可能とし、高さ調節ができるようにする。【選択図】図１
2011072761.tif 000002
【特許請求の範囲】
【請求項１】
枕の外袋に仕切りによるポケットを上下２個作り、異なる芯材を２層に重ね合せたことを特徴とした枕。
【請求項２】
中袋に入れる芯材は、羽毛・綿・そば殻・パイプ材・ビーズ材を使用し、２種類以上に重ねたことを特徴とする枕。
【請求項３】
芯材を入れる中袋にファスナーを設け、芯材を出し入れ可能にしたことにより高さ調節を出来ることを特徴とした枕。
【発明の詳細な説明】
【技術分野】
【０００１】  本発明は、タイプの異なる芯材を２種類以上に重ね合わせることにより、最適な寝心地が得られ、さらに、容易に高さ調節が可能な枕に関するものである。
【背景技術】
【０００２】  人間のライフスタイルの３分の１は、眠っている時間である。人間にとって睡眠は１日の疲労を回復するためや、心身のバランスを整えるのに必要不可欠なことである。
このため、より良い睡眠時間を過ごせるように、布団や枕は、様々な改良がなされてきた。
【発明の開示】
【発明が解決しようとする課題】
【０００３】  理想的な正しい睡眠とは、睡眠中に自然な姿勢をとることにより、全身がリラックスし、１日の疲労を回復することができるものである。そのために、枕が重要な役割を果たすことは、よく知られている。枕の芯材には、羽毛・綿・ウレタンフォームなどのやわらかい素材とパイプ材・ビーズ材・そば殻などの硬い素材が用いられ販売されている。しかし、ほとんどの枕は、単一素材で構成されているため、やわらかい素材の枕は、フィット感は良いが頭全体をしっかり支えることができず、硬い素材の枕は、頭全体をしっかり支えるが、フィット感が悪いという不都合がある。
また、容易に高さ調節ができないため、良い睡眠が得られない。
【課題を解決するための手段】
【０００４】  枕の外袋内に仕切りを作り、上下に２個以上のポケットを設ける。ポケットの数に合わせた中袋に、異なる芯材を入れて、それぞれのポケットに入れて枕を設ける。
中袋は、ファスナーを付け芯材の出し入れを可能とし、高さ調節自由に設ける。
【発明の効果】
【０００５】  本発明によれば、以下のような効果を有する。
第１．枕に多層の芯材を備えることで、理想的な正しい睡眠をとるための枕を提供できる。すなわち、やわらかい芯材を入れた中袋と硬い芯材を入れた中袋を多層に重ねることにより、より良いフィット感と頭部をしっかり支える安定感を持つ枕になる。
第２．枕を外袋と中袋に分け、外袋に仕切りによるポケットを作ることにより、多層に重ねた中袋が型崩れを起こし難くなり、寝心地の良い状態を長く保つことができる。
第３．中袋に入れる芯材の組み合わせや、重ね合わせる数により、個人個人の硬さの好みや高さ調節に応じた枕となる。
第４．中袋にファスナーを設けることにより、芯材の出し入れが可能になり、高さの調節が容易にできる枕となる。
【発明を実施するための最良の形態】
【０００６】本発明の実施形態を図面に基づいて説明する。
（イ）  綿やポリエステルの生地からなる外袋（１）に、仕切り（２）を作り、上下にポケット（３ａ）（３ｂ）を設ける。
（ロ）  綿やポリエステルの生地からなる中袋（５ａ）（５ｂ）に羽毛・綿・そば殻・パイプ材・ビーズ材などの異なる芯材（６ａ）（６ｂ）を中袋ファスナー（７ａ）（７ｂ）より詰める。
（ハ）  異なる芯材（６ａ）（６ｂ）の詰まった中袋（５ａ）（５ｂ）を外袋（１）のポケット（３ａ）（３ｂ）に外袋ファスナー（４）より、それぞれに入れ、外袋ファスナー（４）を閉じて、枕とする。
（ニ）  中袋（５ａ）（５ｂ）内の芯材（６ａ）（６ｂ）は、中袋ファスナー（７ａ）（７ｂ）より出し入れ可能とする。
【産業上の利用可能性】
【０００７】本発明の構造は、快適な睡眠を得ることができる枕として、幅広く利用されるものである。
【図面の簡単な説明】
【図１】斜視図
【図２】断面図
【符号の説明】（１）外袋、（２）仕切り、（３ａ）（３ｂ）ポケット、（４）外袋ファスナー
（５ａ）（５ｂ）中袋、（６ａ）（６ｂ）芯材、（７ａ）（７ｂ）中袋ファスナー
【図１】
2011072761.tif 000003
【図２】
2011072761.tif 000004
(57)【要約】【課題】素足に近い状態で、清潔かつ快適に過ごすことが出来、服装、履物を選ばず使用できる靴下用シートを提供する。【解決手段】柔らかく伸縮性、通気性のある素材の片面に粘着物質を塗布し、又は粘着シートを接着する等し、足裏の形に成型したものを足の裏に貼り付けて使用する。足の指の間に切り込み（２）を入れ、各指の独立性を確保すると共にサンダル履きや下駄などにも対応可能とした。更に、足のサイズの異差に対応する為、切り取り用線（３）で、使用者本人が調節出来るようミシン目を入れ簡単にサイズの調整が出来るようにした。また、使い捨てにすることにより、常に衛生的に使用出来る。【選択図】図１
2011072763.tif 000002
【特許請求の範囲】
【請求項１】
足裏の形に成型したものを足の裏に貼り付けて使用する足裏用使い捨て靴下シート。
【発明の詳細な説明】
【技術分野】
【０００１】本発明は柔らかく伸縮性、通気性のある素材の片面に粘着物質を塗布、又は粘着シートを接着する等し、足裏の形に成型したものを足の裏に貼り付けて使用するようにした足裏用使い捨て靴下シートに関するものである。
【背景技術】
【０００２】従来は素足の足裏に特化しカバーする靴下様シートは無かった。
【発明の開示】
【発明が解決しようとする課題】
【０００３】素足で過ごす際に足裏に室内の汚れや雑菌などが付着し、不快な場合があった。
また、サンダルなどで出掛ける際、埃などが足裏に付着し清潔感を欠き、著しく不快であった。
更に、不特定多数の出入りする場所では、裸足で過ごすことは感染症のリスクを伴うものであった。
従来の靴下では、サンダルなどの着用時には使用に適さない上に、季節によっては従来の靴下を使用しない服装である場合も多い。
更に足裏に貼り付け、足の各指の独立性を確保し対応するシートも無かった。
本発明は素足に近い状態で快適かつ便利で、衛生的に過ごすことが出来る為になされたものである。
【課題を解決するための手段】
【０００４】柔らかく伸縮性、通気性のある素材の片面に粘着物質を塗布、又は粘着シートを接着する等し、足裏の形に成型したものを足の裏に貼り付けて使用するようにした。
また、足の指の間に切り込み（２）を入れることにより、各指の独立性を確保すると共に、サンダル履きや下駄などにも対応可能とした。
更に、足のサイズの異差に対応する為、切り取り用線（３）で、使用者本人が調節出来るようミシン目等を入れ簡単にサイズの調整が出来るようにした。
また、使い捨てにすることにより、常に衛生的に使用出来る。
【発明の効果】
【０００５】素足で過ごす際の、足裏に付着する室内の汚れや雑菌の付着、夏場などのべたつきの不快感、また、サンダルなどで出掛ける際の埃等の汚れを軽減できる。
本発明は素足に近い状態で快適に過ごすことが出来る。
服装、履物を選ばず使用することができ、不特定多数が出入りする場所での感染症のリスクを軽減する事が出来る。
また、使い捨てにすることによって、衛生的に使用することが出来る。
更に、目的に応じて医薬品、医薬部外品との共用も出来る上に、医療用具、安全衛生用品として使用することが出来る。
【発明を実施するための最良の形態】
【０００６】柔らかく伸縮性、通気性のある素材の片面に粘着物質を塗布、又は粘着シートを接着する等し、足裏の形に成型したものを足の裏に貼り付けて使用するようする。
また、足の指の間に切り込み（２）を入れ、各指の独立性を確保すると共に、サンダル履きや下駄などにも対応可能にする。
更に、足のサイズの異差に対応する為、切り取り用線（３）で、使用者本人がサイズ調整すれば良い。
また、使い捨てにすることにより、常に衛生的に使用出来る。
【図面の簡単な説明】
【０００７】
【図１】本発明の正面図である。
【符号の説明】
【０００８】１  足裏用使い捨て靴下シート本体  左足用
２  切り込み
３  切り取り用線
【図１】
2011072763.tif 000003
(57)【要約】【課題】握力の小さな人でも楽にタオルで体を洗えるようにする。【解決手段】タオルの表地にタオルの一端を挿入可能なポケットを設け、裏地に手を挿入できるポケットを設ける。この状態でタオルを使用すると握力の小さい人でも楽にタオルを固定でき体を洗うことができる。【選択図】図３
2011072757.tif 000002
【特許請求の範囲】
【請求項１】
布地の一方の面を表地とし、他の面を裏地とした時に、前記表地の端部より所定の距離内側に表ホルダーを設けた事を特徴とする布地
【請求項２】
前記表ホルダーと略同じ位置の前記布地の裏地に、裏ホルダーを取り付けたことを特徴とする請求項１に記載の布地。
【発明の詳細な説明】
【技術分野】
【０００１】    本発明は体を洗いやすく拭きやすくするホルダー付き吸湿、吸水性布地に関するものである。
【背景技術】
【０００２】    従来体を洗う時、折り畳んだタオルを手で握り使用していた。  また特に背中を洗う時には長手方向に折りたたみ、または丸め、左右の手で引きながら洗い拭きをしていた。
また顔や手を拭くハンカチにおいては、同様に手で握り使用していた。【０００３】
【先行技術文献】
【特許文献】
【０００４】
【特許文献１】  実開平１−１０３３９０
【特許文献２】  実登３１０４１７６
【発明の概要】
【発明が解決しようとする課題】
【０００５】    従来体を洗う時、折り畳んだタオルを手で握り使用していた為、タオルを握れない人たとえば高齢者や幼児には使用しにくい面があった。
また背中のくぼみの部分を洗う時には、タオルの面がくぼみに接触しにくく、うまく洗えないという問題があった。
また石鹸をタオルに挟み込んで洗う時石鹸がタオルからズレ易いのでタオルに石鹸をこすりつけて使用していたので、必要以上の石鹸量を使用せざるを得なかった。
【課題を解決するための手段】
【０００６】    布地の一方の面を表地とし、他の面を裏地とした時に、布表地の端部より所定の距離内側に表ホルダーを設け、表ホルダーと略同じ位置の裏地に、裏ホルダーを取り付け、表ホルダーに布地の一部を挟み込み、また裏ホルダーに手を挿入して布地を固定し、体などを清掃する。
本発明は必ずしも裏ホルダーがなくても、表ホルダーに布地の一部を挿入すると共に手も挿入しても同様な効果が発揮できる。【０００７】  ここで言う所定の距離とは布地端部を手でつかんだ時に掌の中に含まれない為の距離をいう。
また表ホルダーまたは裏ホルダーに石鹸やスポンジなどを挿入し凸部を形成し、体の、特に背中くぼみに布地の凸部を接触させることにより確実に布地を体に接触させることが可能になる。【０００８】  ホルダーの形状としては手が挿入できる大きさのポケット状のものが好適であるが、必ずしもこれにこだわることはなく、短冊状の布等の長手方向両端部付近を布地に固定したものでもよく、この場合は手や布地の一端を挿入するのではなく、挟み込むことで、同様な効果が得られる。
【発明の効果】
【０００９】  表ホルダーにタオルを丸めて挿入し、裏ホルダーに手を差し込むだけでタオルを握らなくても、高齢者、幼児や握力の弱い人でも体や顔を洗うことができる。
【図面の簡単な説明】
【００１０】
【図１】  本発明の第１の実施例
【図２】  本発明の第２の実施例
【図３】  本発明の使用状態を示す断面図
【図４】  本発明の石鹸またはスポンジなどを挿入した例を示す断面図
【図５】  本発明の第３の実施例を示す図
【発明を実施するための形態】
【実施例１】
【００１１】前記布地は図１に示す様な、略長方形のタオルであり、前記表ホルダーは前記タオルの略中央部に縫い付けられ、開口部を有するポケットである。前記ポケットの開口部は前記タオルの長手方向を向いている。また前記裏ホルダーは前記表ホルダーと前記布地を挟んだ対称の位置に縫い付けられ、前記表ホルダーと同様に開口部は前記タオルの長手方向に向いている。
【実施例２】
【００１２】また前記布地は略正方形でも、円形でもよい。前記布地が略正方形の場合の実施例を図２に示す。この場合前記ポケットの開放口は前記布地のどちらの辺を向いていてもよく、また図示していないが辺に平行または垂直の方向に限らず任意の角度に縫い付けられていてもよい。同様に前記布地が円形の場合も前記ポケットの開口部は任意の方向を向いていてもよい。【００１３】図３に本布地の使用方法の一例を示す。前記タオルの一端を丸め、前記タオルの前記表ポケットに挿入する。この様にすると表ポケットが膨らむ。一方前記裏ポケットに手を挿入する。そのような状態で前記表地または表ポケットを体に押し当て、前後左右に滑らせて体などを洗う時には、手が前記裏ポケットで固定されるために前記布地を手でつかむ必要がない。これは布地の形状にかかわらず同様な効果が望める。【００１４】図４は本発明の別の使用方法の例である。
前記タオルの前記表ポケット、前記裏ポケットの何れかまたは両方に、石鹸、スポンジなどを挿入して膨らまし、前記タオルの長手方向側面を折りたたみまたは丸め、前記表ポケット、前記裏ポケットの何れかまたは両方を前記タオルの長手方向側面で覆い、前記石鹸やスポンジ等が飛び出さない様にする。
このようにしたタオルの長手方向両端部を握って背中などを洗うことができる。【００１５】  図５に本発明の第３の実施例を示す。この例では略長方形をした表ホルダーの互いに向かい合った２つの辺を表地に縫い付ける事により２つの開口部を持たせたもので、いずれの開口部からもタオルの一端または手を挿入することを可能にしたものである。
【産業上の利用可能性】
【００１６】    これはいわゆるユニバーサルデザインといわれるものであり、本発明布地を使用することにより、健常者でも障害のある人でも従来より楽に自分で体を洗うことができる。【００１７】    またタオル地にポケットを縫い付ける方法で製造可能なため、特別な製造設備も不要であり、量産化も困難ではない。  本発明品が発売されれば一般家庭で風呂用品としてまた老人ホームや医療施設などで有効に活用されることが期待できる。
【符号の説明】
【００１８】      １  布地
２  表地
３  表ホルダー
４  裏地
５  裏ホルダー
６  裏ポケットに挿入された手
７  表ホルダーに挿入された石鹸の例
８  裏ホルダーに挿入されたスポンジの例
【図１】
2011072757.tif 000003
【図２】
2011072757.tif 000004
【図３】
2011072757.tif 000005
【図４】
2011072757.tif 000006
【図５】
2011072757.tif 000007
(57)【要約】【課題】今までの壁面を利用した保護帽保管具では壁面でしか取付けが出来ず、マンションのコンクリート壁の場合はしかたなくロッカーの中や机の上に置くしかなかった。建設現場では必需品の転落防止安全帯も同様に困っていた。壁取付型保管具は広い壁面積が必要であったり、出入り口の近くの壁面が設置条件になっていた。【解決手段】扇形の棚板に保護帽が抜け落ちない大きさの穴が開けてあり、そこに保護帽の内側が上向きになる様セットし、その保護帽の内側に高所転落防止帯を丸めて入れ両者一帯で保管する事が出来、転落防止策を講じ、省スペースと美観を保ち、床置きの為部屋のコーナーや机の上等、置き場所を選ばない。組立て分解可能な構造の為輸送コストも安く出来る。【選択図】図３
2011072758.tif 000002
【特許請求の範囲】
【請求項１】
立体形をなし、数段の棚板があり、棚板中央部は穴が開けてあり、保護帽の内側を上に向けた状態で保管、その内側に転落防止安全帯等を収納し、組立て分解が出来き、転倒防止策を構じた床置型保護帽安全帯保管具。
【発明の詳細な説明】
【技術分野】
【０００１】  本発明は床置型で保護帽と転落防止安全帯を一体で保管する用具に関するものである。
【背景技術】
【０００２】  従来、保護帽の保管は壁面を利用した保管具に収納していたが、壁面がコンクリートの場合は使用出来ず又、広い壁面積が必要であったため、設置場所に困っていた。転落防止安全帯も同時に保管出来、組立分解も出来る様に考案した。（特許文献１参照）
【特許文献１】実用新案公開平７−２５８８４
【発明の開示】
【発明が解決しようとする課題】
【０００３】  壁面を利用した保護帽保管具では、壁面がコンクリートや鉄板の場合使用出来ず、しかたなくロッカーの中や上部、靴入れの中などに収納していた。本発明は保護帽と高所転落防止用安全帯の２点を一体として保管する事でこの問題を解決するものである。
【問題を解決するための手段】
【０００４】  ２週類のユニットがあり、ベースユニットは数点で棚板を支え、棚板には保護帽が抜け落ちない大きさの穴が開いている。メインユニットには数点で棚板を支えて同じく穴が開いてる。組立て方は、ベースユニット数個の支柱差込穴に、メインユニットの支柱先端を差し込み、以下同様の方法でメインユニットを組立てて行く。
【発明の効果】
【０００５】  従来と違い、最近の建設事務所は現場近くのマンションやアパートを借りるケースが多く、壁面に固定する保護帽保管具は使用出来ないで困っていた、この置型タイプの発明だと部屋の隅の床上にも置けて省スペース、保護帽の数に合わせて増減が出来、置き場に困っていた高所転落防止安全帯も収納出来、組立分解も簡単に出来運搬にも便利だ。
【発明を実施するための最良の形態】
【０００６】  以下、本発明の実施の形態を説明する。
（イ）ベースユニットの中央部扇形の棚板（６）に保護帽（８）がずり落ちない大きさの  丸穴（５）が開いていて支柱（２）数本それぞれの頭部に支柱差込穴（３）がある。
（ロ）メインユニット（４）にも同様な丸穴（５）があり支柱数本それぞれにも支柱差込  穴（３）がある。
（ハ）ベースユニット（４）を一番下に置き、支柱差込穴（３）に、メインユニットの支  柱先端部に差込組立てる。
（ニ）以下同様の方法でメインユニットを積み上げ、転倒防止の為支柱（２）に開けてあ  るビス穴にビス止めして上下ユニットを固定する。
（ホ）保護帽（８）の内側を上にし高所転落防止安全帯（７）を丸めて入れ組上がった新  発明品の棚板（６）の丸穴（５）に納める。
【図面の簡単な説明】
【０００７】
【図１】本発明の斜視図
【図２】本発明の斜視図
【図３】本発明の使用状態を示す斜視図
【符号の説明】
【０００８】（１）ベースユニット  （２）支柱  （３）支柱差込穴  （４）メインユニット  （５）丸穴  （６）棚板  （７）高所転落防止安全帯  （８）保護帽  （９）ビス穴
【図１】
2011072758.tif 000003
【図２】
2011072758.tif 000004
【図３】
2011072758.tif 000005
(57)【要約】【課題】  写真を入れる際に、留金式では何箇所かの留金を開くという作業の面倒さがある。はめ込み式では、はめ込み部分が堅くて、開け辛い場合がある。差し込み式では、一旦入れた写真を取り出し辛いという問題があった。  以上の問題点を解決するためのマグネット式２ｗａｙフォトスタンドを提供する。【解決手段】  マグネットシートや粘着式マグネットシートを枠取りや型抜きをし、粘着式マグネットシートのものには、ビーズ、造花、タイルなどの装飾部材で装飾を施し、木やプラスチック製などの枠型の裏には粘着式マグネットシートを貼り各種フレームを作り、ベースにスチールボードを用いて、支えのスチールボードとの接地面にマグネットを設け、フレームとスチールボード・支えとの組み合わせより成り、フレームだけでも自由に演出できることを特徴とするマグネット式２ｗａｙフォトスタンド。【選択図】図１
2011072756.tif 000002
【特許請求の範囲】
【請求項１】
マグネットシートや粘着式マグネットシートを枠取りや型抜きをしたものや、粘着式マグネットシートを枠取りや型抜きをし、ビーズ、造花、タイルなどの装飾部材で装飾を施したもの、木やプラスチック製などの枠型や型抜きの裏に粘着式マグネットシートを貼ったものなどの各種フレームを作り、ベースにスチールボードを用いて、支えのスチールボードとの接地面にマグネットを設け、各種フレーム・スチールボード・支えとの組み合わせより成り、スペアーフレームをスチールボードの裏面に貼ることも可能で、フレームだけの形でも自由に演出できることを特徴とするマグネット式２ｗａｙフォトスタンド。
【発明の詳細な説明】
【技術分野】
【０００１】  本発明は、スチールボードをベースに、マグネットシートを利用して作ったフレームと支えとの組み合わせより成り、フレームだけでも自由に演出出来るマグネット式２ｗａｙフォトスタンドに関するものである。
【背景技術】
【０００２】  従来のフォトスタンドは、写真を入れる際には、裏面の留め金を開いて入れる留金式や、はめ込み式、差し込み式などが一般的である。
【発明の概要】
【発明が解決しようとする課題】
【０００３】  写真を入れる際に、留金式では何箇所かの留金を開くという作業の面倒さがある。はめ込み式では、はめ込み部分が堅くて開け辛い場合がある。差し込み式では、一旦入れた写真を取り出し辛いという問題があった。
本発明は、以上の問題点を解決するためになされたものである。
【発明を解決するための手段】
【０００４】  マグネットシートや粘着式マグネットシートを枠取りや型抜きをしたもの、粘着式マグネットシートを枠取りや型抜きをし、ビーズ、造花、タイルなどの装飾部材で装飾を施したもの、木やプラスッチク製などの枠型や型抜きの裏に粘着式マグネットシートを貼ったものなどの各種フレームを作る。ベースにスチールボードを用いて、支えのスチールボードとの接地面にマグネットを設け、各種フレーム・スチールボード・支えの組み合わせより成る。スペアーフレームをスチールボードの裏面に貼ることも可能。フレームだけの形でも自由に演出できる。
以上の構成より成るマグネット式２ｗａｙフォトスタンド。
【発明の効果】
【０００５】  従来のフォトスタンドのように、力を入れたり、取り出しに手こずることなく、装着、取り外しが容易になる。フレーム単体での使用も、フレームとスチールボード・支えとの組み合わせでの使用も自由に選択できる。スチールボードの両面にフレームをセットし一方はスペアーとしてストックも可能である。支えの装脱着がマグネット式なのでスタンドの傾斜角度も、縦置き、横置きも自由自在に調節できる。
【図面の簡単な説明】
【０００６】
【図１】  本発明の側面を表すイメージ図
【発明を実施するための形態】
【０００７】  以下、本発明の実施の形態を説明する。
（イ）マグネットシート、粘着式マグネットシートを枠取りや、型抜きしたフレームを作      る。
（ロ）粘着式マグネットシートを枠取りや、型抜きしたフレームに、造花、ビーズ、タイ      ルなどの装飾部材で装飾を施したフレームを作る。
（ハ）木、プラスチック製などの枠型や型抜きの裏に粘着式マグネットシートを貼ったフ      レームを作る。
（ニ）上記の各種フレーム（１）を設置するためのベースにスチールボード（２）を用い      る。
（ホ）スチールボード（２）との接地面にマグネット（４）を設けた支え（３）を設ける      。
本発明は、以上の構造からなる。
本発明を使用するときには、スチールボード（２）の上に写真や絵（５）を載せ、その上に枠取りや型抜きしたもの、装飾を施したもの、木やプラスッチク製などの枠型等の各種フレーム（１）を重ねて装着する。スチールボード（２）の裏面に支え（３）を付けるとフォトスタンドが出来る。支え（３）はマグネット式なので、取り外しが容易にでき、スチールボード（２）を縦にも横にも自由に置き換えることが出来、又、傾斜角度も自在に調節できる。各種フレーム（１）をスチールボード（２）からはずして、冷蔵庫、スチール製の玄関扉などに付けて各種フレーム（１）だけの演出も、華やかで楽しい。
【符号の説明】
【０００８】（１）各種フレーム、（２）スチールボード、（３）支え、（４）マグネット、（５）写真や絵
【図１】
2011072756.tif 000003
(57)【要約】【課題】バドミントンの練習で、スイッチを押すと自動で球を打ち出す事が、できるバドミントン練習用シャトル自動打ち出し機を提供する。【解決手段】円筒（１）の一端にエアー噴出し部（２）を設けスイッチ（５）を押すとエアータンクよりエアー噴き出し部（２）に空気が送られ、その空気の力でシャトルを打ち出す。打ち出されたシャトルを打つことで、１人や少人数でも長時間の繰り返し練習が可能となるバドミントン練習用シャトル自動打ち出し機を特徴とする。【選択図】図１
2011072760.tif 000002
【特許請求の範囲】
【請求項１】
シャトル外径より大きめの空洞を有する円筒（１）の下端にエアー噴出し口である小径の穴があいたエアー噴出し部（２）を設けた事を特徴とするバドミントン練習用シャトル自動打ち出し機
【請求項２】
円筒（１）の下端部にあるエアー噴出し部（２）の上部に貫通した横穴（３）を設けた事を特徴とするバドミントン練習用シャトル自動打ち出し機
【請求項３】
円筒（１）上端部にあるシャトル受け（４）は、シャトルを打ち出した後、次のシャトルを装着しやすい様に扇型袋状の板を設けた事を特徴とするバドミントン練習用シャトル自動打ち出し機
【請求項４】
円筒（１）を角度調整可能である三脚に取り付け、エアータンク（６）または、エアーコンプレッサーとエアー噴出し用スイッチ（５）とエアー噴出し部（２）をホースで接続した事を特徴とするバドミントン練習用シャトル自動打ち出し機
【発明の詳細な説明】
【技術分野】
【０００１】  この発明は、バドミントンのスマッシュ練習やプッシュ練習等、相手を必要としなくても、１人での練習を可能としたバドミントン練習用シャトル自動打ち出し機に関するものである。
【背景技術】
【０００２】  バドミントンの練習では、人間が練習相手に球（シャトル）出しをしていました。また、１人や少人数では、練習ができませんでした。
【発明の開示】
【発明が解決しようとする課題】
【０００３】  バドミントンの練習では、監督、コーチや友人などが、練習相手に何回も球をなげたりラケットで打ち返すなどの作業を長時間繰り返す必要が、あった。
このため、次の様な欠点があった。
（イ）人が、長時間、球出しをしていると疲労が大きい。
（ロ）球出しの人の練習が、できないため時間的無駄を生じる。
（ハ）同じ位置に球出しが、できない。
（ニ）１人では、練習できない。
（ホ）ある程度のスペースを必要とする。
本発明は、以上の様な欠点をなくす為になされた物である。
【課題を解決するための手段】
【０００４】  シャトル外径より大きめの空洞を有する円筒（１）の一端にエアー噴出し部（２）を設けエアータンク（６）とスイッチ（５）とエアー噴出し部（２）をホースで接続する。スイッチ（５）を押すとエアータンクよりエアー噴き出し部（２）を介して円筒内部に空気が送られ、その空気の力でシャトルを打ち出す。打ち出されたシャトルを打つことで、１人や少人数でも長時間の繰り返し練習が可能となる。
本発明は、以上の構成よりなるバドミントン練習用シャトル自動打ち出し機である。
【発明の効果】
【０００５】  スイッチを押すだけでシャトルを前方や横方向より打ち出す事ができ、球出しする人が不要となり、１人でもバドミントンの練習が連続的にできる。今まで使用しにくかった体育館等の端のスペースや小スペースでの練習も可能となる。練習ぎらいな子や練習に飽きた小学生は、装置自体に興味を持ち、面白がって自分から練習するなどの効果もある。初心者から経験者まで、レベルに応じて色々な練習が可能である。
【発明を実施するための最良の形態】
【０００６】  以下、本発明を実施するための最良の形態について説明する
円筒（１）を三脚に装着し色々な角度調整を可能にしている。円筒（１）の下部にエアー噴き出し部（２）を有し、エアー噴出し部の円筒上部に貫通横穴（３）を設け、この貫通横穴を見る事で、シャトルが装着状態なのか、どうかがわかる。エアータンク（６）とスイッチ（５）とエアー噴き出し部（２）をホースで接続する。スイッチ（５）は、台の上に置くなどして高さを調整すれば、ラケットや手や足で、押すことができる。シャトルを打ち出した後、次のシャトルを装着する場合に、離れた場所からでもシャトルを投げ入れるだけで装着可能となるシャトル受け（４）を設ける。
本発明は、以上のような構造である。
【図面の簡単な説明】
【０００７】
【図１】本発明の斜視図である。
【図２】本発明の円筒部断面図である。
【符号の説明】
【０００８】（１）円筒、（２）エアー噴出し部、（３）貫通横穴、（４）シャトル受け、（５）スイッチ、（６）エアータンク、（７）ホース
【図１】
2011072760.tif 000003
【図２】
2011072760.tif 000004